(57)【要約】【課題】スキャン作業の効率化及び作業労力の低減を図ると共に、装置の移動や転用を容易にして設備費のコスト低減も併せて図ることができる書籍のスキャン作業装置を提供すること。【解決手段】移動可能なラック１を複数備えている。各ラック１は、四隅に配置される支柱２と、各支柱２により支持される複数段の棚板３とを有し、複数のラック１は、それぞれの正面側Ａが一方向に向くように並べて配置されている。各ラック１の棚板３上には書籍スキャン用のスキャナー４がそれぞれ設置され、スキャナー４は、スキャンする書籍の取り込み口５がラック１の正面側Ａに向いている。【選択図】図１
2014083287.tif 000002
【特許請求の範囲】
【請求項１】
移動可能なラックを複数備え、
各ラックは、四隅に配置される支柱と、
各支柱により支持される複数段の棚板と、を有し、
前記複数のラックは、それぞれの正面側が一方向に向くように並べて配置され、
前記各ラックの棚板上には書籍スキャン用のスキャナーがそれぞれ設置され、
前記スキャナーは、スキャンする書籍の取り込み口が前記ラックの正面側に向いていることを特徴とする、書籍のスキャン作業装置。
【請求項２】
前記各ラックには、前記スキャナーでのスキャン作業の状態を表示するモニターが前記スキャナーよりも上方位置に配置されていることを特徴とする、請求項１に記載の書籍のスキャン作業装置。
【請求項３】
前記各ラックの棚板は少なくとも上下二段に配置され、下段の棚板上に前記スキャナーが配置され、上段の棚板上に前記モニターに接続されたパソコン本体及びサーバの少なくとも一方が配置されていることを特徴とする、請求項１又は２に記載の書籍のスキャン作業装置。
【請求項４】
前記スキャン作業の作業者が腰かける椅子があり、前記各ラックは前記椅子を中心として描く円又は楕円の軌跡上において前記各ラックの正面側が椅子に向く形態となるように並べて配置されていることを特徴とする、請求項１〜３の何れかに記載の書籍のスキャン作業装置。
【請求項５】
前記各ラックの前面側に位置する支柱に、支柱の軸周りに回動可能な片持ち棚板が設けられ、この片持ち棚板に、キーボード及びマウスの少なくとも一方が置かれていることを特徴とする、請求項１〜４の何れかに記載の書籍のスキャン作業装置。
【発明の詳細な説明】
【技術分野】
【０００１】
本発明は、書籍をページ毎にスキャンする電子化作業に用いられて好適な書籍のスキャン作業装置に関する。
【背景技術】
【０００２】
従来、印刷物である書籍を電子化して、その書籍をパーソナルコンピュータ（以下、ＰＣと略称する）や携帯情報端末のディスプレイに表示して閲覧することを可能とした電子書籍作成システムが提案されている（特許文献１参照）。
【先行技術文献】
【特許文献】
【０００３】
【特許文献１】特開２０００−２５０９０８号公報
【発明の概要】
【発明が解決しようとする課題】
【０００４】
このような電子書籍作成システムにおいては、スキャナー等の画像取り込み機器を用いて書籍をページ毎にスキャンする作業を必要としている。そして、このスキャン作業の効率化を図るためには、書籍の綴じ部分（書籍の背）を裁断し、一枚毎の紙の束にしてから、これらを一枚ずつスキャナーで自動的に取り込んで読み込む作業が必要となる。
【０００５】
さらに、読み込み作業時には、その読み込み状態をモニターでチェックする作業も必要となる。
また、こうしたスキャナーを利用した電子書籍化作業は、これを多人数で行う場合でも、作業者専用のスキャン作業装置をそれぞれの作業者毎に個別に、あるいは一人の作業者につき複数必要となる。
【０００６】
また、スキャン作業装置を作業者数に対応させて複数列配置して固定化することも考えられるが、作業ライン等のレイアウトの変更に対応し難い問題が生じる。
さらに、スキャン作業装置を固定化する方法では、装置の転用や移動が容易でないため、その分、設備費が嵩む問題がある。
【０００７】
よって、本発明は、スキャン作業の効率化及び作業労力の低減を図ると共に、装置の移動や転用を容易にして設備費のコスト低減も併せて図ることができる書籍のスキャン作業装置を提供することを課題とする。
【課題を解決するための手段】
【０００８】
上記課題を解決する本発明は、移動可能なラックを複数備え、各ラックは、四隅に配置される支柱と、各支柱により支持される複数段の棚板とを有し、前記複数のラックは、それぞれの正面側が一方向に向くように並べて配置され、前記各ラックの棚板上には書籍スキャン用のスキャナーがそれぞれ設置され、前記スキャナーは、スキャンする書籍の取り込み口が前記ラックの正面側に向いていることを特徴とする。
【０００９】
本発明によれば、移動可能な複数のラックを、それぞれの正面側が一方向に向くように並べて配置し、各ラックの棚板上にはスキャナーを設置し、各スキャナーの取り込み口をそれぞれのラックの正面側に向けた構成としてあるので、一人の作業者で複数のスキャナーを操作しやすい構成とすることができる。これにより、スキャン作業の効率化及び作業労力の低減を図ることができる。しかも、スキャン作業に必要なスキャナーを、移動可能な各ラックにそれぞれ装備してあるので、ラックを１単位とし、装置の移動やライン変更、転用等を容易にして設備費のコスト低減も併せて図ることができる。
【００１０】
本発明の好ましい形態では、各ラックに、前記スキャナーでのスキャン作業の状態を表示するモニターが前記スキャナーよりも上方位置に配置されていることを特徴とする。
このように、スキャナーでのスキャン作業の状態を表示するモニターを配置したことで、一枚ごとに裁断した紙葉類の束を取り込み口に供給しながら、スキャン作業の状態をリアルタイムでチェックすることができる。特に、取り込んだ紙葉類のスキャン時の傾き等をモニターでチェックしながら行うことができる。この際、モニターはスキャナーよりも上方位置に配置してあるので、モニターを見ながのスキャン作業をより効率的に行うことができる。
【００１１】
本発明の好ましい形態では、前記各ラックの棚板は少なくとも上下二段に配置され、下段の棚板上に前記スキャナーが配置され、上段の棚板上に前記モニターに接続されたパソコン本体及びサーバの少なくとも一方が配置されていることを特徴とする。
このように、上段の棚板上にパソコン本体やサーバを、下段の棚板上にスキャナーを配置することで、スキャン作業に必要な複数の電子機器をラックに装備しながら、作業者がより操作しやすい位置にスキャナーを配置することができる。
【００１２】
本発明の好ましい形態では、前記スキャン作業の作業者が腰かける椅子があり、前記各ラックは前記椅子を中心として描く円又は楕円の軌跡上において前記各ラックの正面側が椅子に向く形態となるように並べて配置されていることを特徴とする。
このように、各ラックは、椅子を中心として描く円又は楕円の軌跡上に並べ、かつラックの正面側を椅子に向けてあるので、作業者は椅子に腰かけた状態で、各ラックのスキャナーを操作することが可能になる。これにより、一人で複数台のスキャナーを操作してスキャン作業を行うことができる。
【００１３】
本発明の好ましい形態では、前記各ラックの前面側に位置する支柱に、支柱の軸周りに回動可能な片持ち棚板が設けられ、この片持ち棚板に、キーボード及びマウスの少なくとも一方が置かれていることを特徴とする。
このように、支柱の軸周りに回動可能な片持ち棚板を設けて、そこへキーボードやマウス等を置く構成とすることで、ラックの載置面の有効面積の増大を図りながら、キーボードやマウスを操作しやすい場所へ配置することが可能になる。
【発明の効果】
【００１４】
本発明のスキャン作業装置によれば、スキャン作業の効率化及び作業労力の低減を図ると共に、装置の移動や転用を容易にして設備費のコスト低減も併せて図ることができる。
【図面の簡単な説明】
【００１５】
【図１】本発明の実施形態１に係るスキャン作業装置の正面図である。
【図２】本発明の実施形態１に係るスキャン作業装置の左側面図である。
【図３】本発明の実施形態１に係るスキャン作業装置の右側面図である。
【図４】本発明の実施形態１に係るスキャン作業装置の配置構造例を示す概略斜視図である。
【図５】本発明の実施形態１に係るスキャン作業装置の配置構造例を示す概略平面図である。
【図６】本発明の実施形態２に係るスキャン作業装置の配置構造例を示す概略斜視図である。
【図７】本発明の実施形態３に係るスキャン作業装置の配置構造例を示す概略斜視図である。
【発明を実施するための形態】
【００１６】
以下、本発明の実施形態を図１ないし図７を参照して説明する。
図１ないし図５は、実施形態１に係るスキャン作業装置の構成図である。
このスキャン作業装置は、移動可能なラック１を複数備えている。各ラック１は、四隅に配置される支柱２と、各支柱２により支持される複数段の棚板３とを有し、複数のラック１は、それぞれの正面側Ａが一方向に向くように並べて配置されている。次いで、これらの詳細について説明する。
【００１７】
実施形態のラック１は、金属製であって、四隅に配置された４本の支柱２と、それらを連結する上下三段の金属製棚板３とを主体として構成されている。棚板３は、平面長方形であって、その四隅に支持筒３１が溶接により固定されている。各支持筒３１の軸線は鉛直に向いている。棚板３には三段とも同一構造及び同一寸法のものが用いられている。
【００１８】
各支柱２は２ｍ程度の長さの金属管により構成され、上下三段の棚板３の支持筒３１をそれぞれ貫通する形態で組み立てられている。なお、特に図示していないが、各支柱２と支持筒３１との間には位置決め用のカラーが嵌め込まれている。
【００１９】
各支柱２の下端には、自在キャスター４が設けられている。これにより、ラック１は床面等に沿って移動可能に構成されている。なお、この実施形態のラック１は、図１に示すように、正面側Ａから見て、高さが２ｍ前後に、幅ｗが１ｍ前後に、奥行きｄが５０ｃｍ前後になるように組み立てられている。
【００２０】
前記各ラック１の最下段の棚板３上には、書籍スキャン用のスキャナー４がそれぞれ設置されている。そして、スキャナー４は、スキャンする書籍（一枚ずつに裁断された紙葉類）の取り込み口５が前記ラックの正面側Ａに向いている。ここでいう、ラックの正面側Ａとは、図１において、後述するモニター６が向いている紙面側をいう。
【００２１】
本実施形態によれば、移動可能な複数のラック１を、それぞれの正面側Ａが一方向に向くように並べて配置し、各ラック１の棚板３上にはスキャナー４を設置し、各スキャナー４の取り込み口５をそれぞれのラック１の正面側Ａに向けた構成としてあるので、一人の作業者で複数のスキャナー４を操作しやすい構成とすることができる。これにより、スキャン作業の効率化及び作業労力の低減を図ることができる。しかも、スキャン作業に必要なスキャナー４を、移動可能な各ラック１にそれぞれ装備してあるので、ラックを１単位とし、装置の移動や転用を容易にして設備費のコスト低減も併せて図ることができる。
【００２２】
各ラック１には、スキャナー４でのスキャン作業の状態を表示するモニター６が配置されている。このモニター６に接続されたパソコン本体７には、スキャナー４からのスキャンデータが入力され、モニター６で逐次表示可能なように設定されている。パソコン本体７は、二段目の棚板３上に設置されている。
【００２３】
このように、スキャナー４でのスキャン作業の状態を表示するモニター６を配置したことで、一枚ごとに裁断した紙葉類の束を取り込み口５に供給しながら、スキャン作業の状態をリアルタイムでチェックすることができる。特に、取り込んだ紙葉類のスキャン時の傾き等をモニター６でチェックしながら行うことができる。この際、モニター６はスキャナー４よりも上方位置に配置してあるので、モニター６を見ながのスキャン作業をより効率的に行うことができる。
【００２４】
前記各ラック１の棚板３は、上下三段に配置され、最下段の棚板３上に前記スキャナー４が配置され、上段（上から一段目、二段目）の棚板３上にモニターに接続されたパソコン本体７及びサーバ８の少なくとも一方が配置されている。本実施形態では、パソコン本体７及びサーバ８の両方が配置され、サーバ８は一段目に配置されている。
【００２５】
このように、上段の棚板３上にパソコン本体７やサーバ８を、下段の棚板３上にスキャナー４を配置することで、スキャン作業に必要な複数の電子機器をラックに装備しながら、作業者がより操作しやすい位置にスキャナー４を配置することができる。スキャナー４の取り込み口５の高さは、後述する椅子の高さより少し上に位置するように、下段の棚板３の高さが設定されている。
【００２６】
１段目である下段の棚板３は、裁断されている書籍を作業者がスキャナー４にセットしやすい位置となるように低く設定されている。２段目である上段の棚板３は、スキャナー４をメンテナンスする際に、スキャナー４のカバーを開けたとき、その２段目の棚板３にぶつからないように、高めに設定されている。
【００２７】
各ラック１の前には、スキャン作業の作業者が腰かける椅子９があり、前記各ラック１は前記椅子９を中心として描く円弧の軌跡上において各ラック１の正面側Ａが椅子９に向く形態となるように並べて配置されている。
【００２８】
このように、各ラック１は、椅子９を中心として描く円弧の軌跡上に並べ、かつラック１の正面側Ａを椅子９に向けてあるので、作業者は椅子９に腰かけた状態で、各ラック１のスキャナー４を操作することが可能になる。これにより、一人で複数台のスキャナー４を操作してスキャン作業を行うことができる。
【００２９】
前記各ラック１の前面側Ａに位置する支柱２に、支柱２の軸周りに回動可能な片持ち棚板１０、１１が設けられ、これらの片持ち棚板１０、１１に、キーボード１２及びマウス１３の少なくとも一方が置かれている。この実施形態では、片持ち棚板１０、１１は左右の支柱２に設けられ、一方の片持ち棚板１０上にキーボード１２が、他方の片持ち棚板１１上にマウス１３が設けられている。
【００３０】
他方の片持ち棚板１１上にはタブレット型端末１４が設置されている。この端末１４には、書籍のスキャン作業を含む書籍の電子化システムに必要な各種データが表示されている。
【００３１】
本実施形態では、支柱２の軸周りに回動可能な片持ち棚板１０、１１を設けて、そこへキーボード１２やマウス１３、端末１４等を置く構成とすることで、ラック１の載置面の有効面積の増大を図りながら、キーボード１２やマウス１３をより操作しやすい場所へ配置することが可能になる。
【００３２】
（実施形態２）
図６は本発明に係るスキャン作業装置の実施形態２に係る概略平面図を示すもので、この実施形態では、３台のラック１を横一列に並べ、各ラックごとに椅子９を配置してある。勿論、各ラック１には、図１〜図３に示すように、スキャナー４、モニター６、パソコン本体７、キーボード１２、マウス１３等の必要な機器が装備されている。また、３台のラック１の少なくとも１台にはサーバ８、タブレット型端末１４等が装備されている。
【００３３】
この実施形態２によれば、スキャン作業者が多数の場合に好適な配置とすることができる。また、この実施形態では、作業者の人数に応じて、順次縦横に並べて配置したり、ラックを配置する床面積の大小や形状等に応じて、自在に並べて配置できる利点がある。
【００３４】
（実施形態３）
図７は本発明に係るスキャン作業装置の実施形態３に係る概略平面図を示すもので、この実施形態では、２台のラック１を、椅子９側から見てハ字形状に配置すると共に、各ラックからほぼ等距離となる中間位置に椅子９を配置したものである。
この実施形態３によれば、スキャン作業者１人で２台のスキャン作業装置を一つの椅子９に座りながら操作可能として、スキャン作業の効率化及び作業労力の低減を図ることができる。
【符号の説明】
【００３５】
１  ラック
２  支柱
３  棚板
４  スキャナー
５  取り込み口
６  モニター
７  パソコン本体
８  サーバ
９  椅子
１０、１１  片持ち棚板
１２  キーボード
１３  マウス
１４  タブレット型端末
Ａ  正面側
【図１】
2014083287.tif 000003
【図２】
2014083287.tif 000004
【図３】
2014083287.tif 000005
【図４】
2014083287.tif 000006
【図５】
2014083287.tif 000007
【図６】
2014083287.tif 000008
【図７】
2014083287.tif 000009
【手続補正書】
【提出日】平成25年6月17日(2013.6.17)
【手続補正１】
【補正対象書類名】特許請求の範囲
【補正対象項目名】全文
【補正方法】変更
【補正の内容】
【特許請求の範囲】
【請求項１】
移動可能なラックを複数備え、各ラックは、四隅に配置される支柱と、各支柱により支持される複数段の棚板と、を有し、
前記複数のラックは、それぞれの正面側が一方向に向くように並べて配置され、
前記各ラックの棚板上には書籍スキャン用のスキャナーがそれぞれ設置され、
前記スキャナーは、スキャンする書籍の取り込み口が前記ラックの正面側に向いており、
前記各ラックには、前記スキャナーでのスキャン作業の状態を表示するモニターが前記スキャナーよりも上方位置に配置され、
前記各ラックの棚板は少なくとも上下二段に配置され、下段の棚板上に前記スキャナーが配置され、上段の棚板上に前記モニターに接続されたパソコン本体及びサーバの少なくとも一方が配置され、
前記各ラックの正面側には、前記スキャン作業の作業者が腰かける椅子があり、前記各ラックは前記椅子を中心として描く円又は楕円の軌跡上において前記各ラックの正面側が椅子に向く形態となるように並べて配置されていることを特徴とする、書籍のスキャン作業装置。
【請求項２】
前記各ラックの前面側に位置する支柱に、支柱の軸周りに回動可能な片持ち棚板が設けられ、この片持ち棚板に、キーボード及びマウスの少なくとも一方が置かれていることを特徴とする、請求項１に記載の書籍のスキャン作業装置。
【手続補正書】
【提出日】平成25年10月30日(2013.10.30)
【手続補正１】
【補正対象書類名】特許請求の範囲
【補正対象項目名】全文
【補正方法】変更
【補正の内容】
【特許請求の範囲】
【請求項１】
移動可能なラックを複数備え、各ラックは、四隅に配置される支柱と、各支柱により支持される複数段の棚板と、を有し、
前記複数のラックは、それぞれの正面側が一方向に向くように並べて配置され、
前記各ラックの棚板上には書籍スキャン用のスキャナーがそれぞれ設置され、
前記スキャナーは、スキャンする書籍の取り込み口が前記ラックの正面側に向いており、
前記各ラックには、前記スキャナーでのスキャン作業の状態を表示するモニターが前記スキャナーよりも上方位置に配置され、
前記各ラックの棚板は上下三段に配置され、最下段の棚板上に前記スキャナーが配置され、上から二段目の棚板上に前記モニターに接続されたパソコン本体が配置され、上から一段目の棚板上に前記サーバが配置され、
前記最下段の棚板と二段目の棚板との間隔が、前記一段目の棚板と二段目の棚板との間隔よりも大きく設定され、
前記各ラックの正面側には、前記スキャン作業の作業者が腰かける椅子があり、前記各ラックは前記椅子を中心として描く円又は楕円の軌跡上において前記各ラックの正面側が椅子に向く形態となるように並べて配置され、
前記スキャナーの取り込み口の高さが前記椅子の高さより上に位置するように前記最下段の棚板の高さが設定されていることを特徴とする、書籍のスキャン作業装置。
【請求項２】
前記各ラックの前面側に位置する支柱に、支柱の軸周りに回動可能な片持ち棚板が設けられ、この片持ち棚板に、キーボード及びマウスの少なくとも一方が置かれていることを特徴とする、請求項１に記載の書籍のスキャン作業装置。